(57)【特許請求の範囲】
【請求項１】
点火操作によって燃料ガスが供給されるバーナと、
点火操作によって電源が供給されて前記バーナへの点火制御を行う制御部と、
前記バーナ上への調理容器の載置を検出する調理容器検出手段と、を備え、前記制御部は、前記電源の供給後に前記調理容器検出手段によって前記調理容器の載置が検出されない場合は、前記バーナの点火制御を禁止するガスコンロであって、
前記バーナの点火制御の禁止を解除する解除スイッチを設けて、
前記制御部は、前記電源の供給後の前記バーナの点火制御の禁止状態で前記解除スイッチがＯＮ操作された際に、前記バーナの点火制御の禁止を解除することを特徴とするガスコンロ。
【請求項２】
前記制御部は、前記電源の供給から所定時間経過する前に前記解除スイッチがＯＮ操作された際に前記バーナの点火制御の禁止を解除することを特徴とする請求項１に記載のガスコンロ。
【発明の詳細な説明】
【技術分野】
【０００１】
本発明は、テーブルコンロやビルトインコンロ等のガスコンロに関する。
【背景技術】
【０００２】
テーブルコンロやビルトインコンロ等のガスコンロにおいては、安全性の向上のために、五徳上に鍋等の調理容器が載置されているか否かを検出する調理容器検出手段を設けて、調理容器検出手段によって調理容器の載置が検出されない場合には、バーナの燃焼を禁止するようにしたものが知られている（例えば特許文献１参照）。
但し、調理容器がない状態でもバーナを燃焼させてのり等のあぶり調理が行えるように、特許文献１のガスコンロでは、調理容器検出機能を任意に解除できる解除スイッチを設けている。すなわち、解除スイッチがＯＮされると、電源を立上げて制御回路を起動させ、制御回路の解除設定部で調理容器検出機能の解除を受け付け可能とするもので、解除スイッチをＯＮした後の一定時間内で点火操作すれば、調理容器がない状態でもバーナが燃焼するようになっている。
【先行技術文献】
【特許文献】
【０００３】
【特許文献１】特開２０１１−１０６７９６号公報
【発明の概要】
【発明が解決しようとする課題】
【０００４】
しかし、特許文献１のガスコンロにおいては、点火操作よりも先に解除スイッチをＯＮさせることで電源を立ち上げて調理容器検出機能の解除を受け付け可能とする必要がある。このため、電池電源を用いたものでは解除スイッチがＯＮされた場合に各種制御回路に電源を供給する機構が必要となり、制御基板の構成が複雑化し、コストアップを招いてしまう。また、点火操作の前に解除スイッチのＯＮを要求するため、使用者に違和感を与えるおそれもある。
【０００５】
そこで、本発明は、制御部の構成を複雑化することなく、解除スイッチによる調理容器検出機能の解除を簡単に行うことができるガスコンロを提供することを目的としたものである。
【課題を解決するための手段】
【０００６】
上記目的を達成するために、請求項１に記載の発明は、点火操作によって燃料ガスが供給されるバーナと、点火操作によって電源が供給されてバーナへの点火制御を行う制御部と、バーナ上への調理容器の載置を検出する調理容器検出手段と、を備え、制御部は、電源の供給後に調理容器検出手段によって調理容器の載置が検出されない場合は、バーナの点火制御を禁止するガスコンロであって、バーナの点火制御の禁止を解除する解除スイッチを設けて、制御部は、電源の供給後のバーナの点火制御の禁止状態で解除スイッチがＯＮ操作された際に、バーナの点火制御の禁止を解除することを特徴とするものである。
請求項２に記載の発明は、請求項１の構成において、制御部は、電源の供給から所定時間経過する前に解除スイッチがＯＮ操作された際にバーナの点火制御の禁止を解除することを特徴とするものである。
【発明の効果】
【０００７】
請求項１に記載の発明によれば、解除スイッチによって調理容器検出機能を任意に解除できるため、使い勝手が向上する。特に、点火操作により制御部に電源が供給されてから調理容器検出機能の解除の受け付けがなされるため、制御部の構成を複雑化することがなく、解除スイッチによる調理容器検出機能の解除を簡単に行うことができる。また、点火操作の後に解除操作を行う構成とすることで、使用者に違和感を与えることもない。
請求項２に記載の発明によれば、請求項１の効果に加えて、電源の供給から所定時間経過前に解除スイッチがＯＮ操作されないとバーナの点火制御の禁止は維持されるため、安全性の向上が期待できる。
【図面の簡単な説明】
【０００８】
【図１】ガスコンロの概略図である。
【図２】ガスコンロの動作のフローチャートである。
【図３】ガスコンロの動作の変更例のフローチャートである。
【発明を実施するための形態】
【０００９】
以下、本発明の実施の形態を図面に基づいて説明する。
図１は、ガスコンロの一例を示す概略図である。このガスコンロ１において、２は器体の上部に設けられるバーナで、バーナ２上で器体の天板には、調理容器を載置可能な図示しない五徳が設けられる。
また、バーナ２へのガス通路３には、上流側からコックスイッチ４、セーフティバルブ５がそれぞれ設けられている。まずコックスイッチ４は、器体の正面に設けた図示しない点消火ボタンの押し操作に伴ってＯＮして、ＯＮ信号を制御基板１０へ出力するものである。次にセーフティバルブ５は、常態ではガス通路３を閉塞する閉弁状態にあり、点消火ボタンの押し操作に伴い、ガス通路３を開放する開弁状態に移行し、制御基板１０からの通電により開弁状態が保持されるものである。
【００１０】
さらに、ガス通路３は、セーフティバルブ５の下流側で、流路断面積が大きい第１通路６と、流路断面積が小さい第２通路７とに部分的に分岐しており、第１通路６には、第１通路６を開閉可能な第１キープソレノイドバルブ８が設けられている。この第１キープソレノイドバルブ８は、揚げ物モード等の自動火力調整を行う際に制御基板１０からの通電制御によって開閉動作するものである。
そして、第１、第２通路６，７の合流後のガス通路３には、第２キープソレノイドバルブ９が設けられている。この第２キープソレノイドバルブ９も、制御基板１０からの通電制御によってガス通路３を開閉するものである。
【００１１】
一方、バーナ２の近傍には、熱電対１１と点火電極１２とが設けられている。熱電対１１は、バーナ２の炎によって加熱されることで発生した熱起電力を制御基板１０に出力するものである。点火電極１２は、制御基板１０によってイグナイタ１３が作動することで連続スパークしてバーナ２に点火する。
１４は、調理容器検出手段としての調理容器検出スイッチで、バーナ２の中央で上方に突出して調理容器の底面に当接する図示しないセンサ部の上下位置に応じてＯＮ／ＯＦＦする。すなわち、センサ部が上昇位置にあるとき（調理容器が五徳に載置されないとき）はＯＦＦし、センサ部が下降位置にあるとき（調理容器が五徳に載置されているとき）はＯＮして、ＯＮ信号を制御基板１０へ出力するものである。
【００１２】
制御部としての制御基板１０は、マイコンの他、各バルブの駆動回路や各スイッチの入力回路、熱電対回路やイグナイタ作動回路、電源回路等を備えた周知の構成で、乾電池１５を電源として動作する。この制御基板１０には、解除スイッチ１６と解除確認ランプ１７とが電気的に接続されている。この解除スイッチ１６と解除確認ランプ１７とは、器体の正面に設けた操作部に設けられるもので、解除スイッチ１６を押すと、ＯＮ信号が制御基板１０に入力されて、後述するように、五徳への調理容器の載置が確認されないと点火制御が禁止される調理容器検出機能が解除される。この解除の際に、制御基板１０は解除確認ランプ１７を点灯させるようになっている。１８はブザーである。
【００１３】
以上の如く構成されたガスコンロ１の動作を、図２のフローチャートに基づいて説明する。
点消火ボタンが押し操作されると、まずコックスイッチ４がＯＮしてセーフティバルブ５が開弁し、Ｓ１で制御基板１０に電源が供給されて制御基板１０が立ち上がる。すると、制御基板１０は、Ｓ２で、調理容器検出スイッチ１４がＯＮしているか否か、すなわち五徳上に調理容器が載置されているか否かを判別する。ここで調理容器検出スイッチ１４のＯＮが確認されると、調理容器が載置されているとして、Ｓ３で制御基板１０は、第２キープソレノイドバルブ９を開弁させてバーナ２へ燃料ガスを供給すると共に、イグナイタ１３を作動させてバーナ２に点火する点火制御を行う。
【００１４】
なお、バーナ２の点火後は、熱電対１１の熱起電力を監視して、所定の閾値以上であればセーフティバルブ５への通電を継続して開弁保持させ、熱起電力が所定の閾値を下回ると、失火が生じたとしてセーフティバルブ５への通電を停止して閉弁させ、燃料ガスの供給を遮断してバーナ２を自動消火させる。
【００１５】
一方、Ｓ２の判別で調理容器検出スイッチ１４のＯＮが確認されなければ、五徳上に調理容器が載置されていないとして、第２キープソレノイドバルブ９を開弁させず、Ｓ４で点火禁止としてブザー１８を鳴動させる。
その後、Ｓ５の判別で解除スイッチ１６のＯＮが確認されると、制御基板１０は調理容器検出機能を解除して解除確認ランプ１７を点灯させる。そして、Ｓ６で制御基板１０は、第２キープソレノイドバルブ９を開弁させてバーナ２へ燃料ガスを供給すると共に、イグナイタ１３を作動させてバーナ２に点火する点火制御を行う。
【００１６】
このように、上記形態のガスコンロ１によれば、バーナ２の点火制御の禁止を解除する解除スイッチ１６を設けて、制御基板１０は、電源の供給後のバーナ２の点火制御の禁止状態で解除スイッチ１６がＯＮ操作された際に、バーナ２の点火制御の禁止を解除することで、解除スイッチ１６によって調理容器検出機能を任意に解除できるため、使い勝手が向上する。また、点火操作により制御基板１０に電源が供給されてから調理容器検出機能の解除の受け付けがなされるため、制御基板１０の構成を複雑化することがなく、解除スイッチ１６による調理容器検出機能の解除を簡単に行うことができる。さらに、点火操作の後に解除操作を行う構成とすることで、使用者に違和感を与えることもない。
【００１７】
なお、上記形態では、Ｓ４での点火禁止後の任意のタイミングで解除スイッチ１６をＯＮ操作すれば、調理容器検出機能が解除されるようにしているが、図３に示すように、Ｓ５で解除スイッチ１６のＯＮが確認されると、Ｓ６において、電源ＯＮしてから所定時間経過したか否かを判別して、所定時間経過していなければ、解除確認ランプ１７を点灯させてＳ７で点火制御を実行するようにしてもよい。すなわち、ＳＳ６の判別で電源ＯＮから所定時間経過していれば、調理容器検出機能を解除することなくＳ８で点火禁止を継続するものである。
このように、図３の変更例では、制御基板１０は、電源の供給から所定時間経過する前に解除スイッチ１６がＯＮ操作された際にバーナ２の点火制御の禁止を解除するようにしたことで、安全性の向上が期待できる。
【００１８】
その他、ガスコンロの各部の構成も上記形態に限らず、例えば第１キープソレノイドバルブがなく二叉に分岐する部分がないガス通路であっても本発明は適用可能であるし、解除確認ランプやブザーは省略したものであっても差し支えない。また、解除スイッチは、数秒間の長押しによって調理容器検出機能の解除がなされるようにすることもできる。
【符号の説明】
【００１９】
１・・ガスコンロ、２・・バーナ、３・・ガス通路、４・・コックスイッチ、５・・セーフティバルブ、６・・第１通路、７・・第２通路、８・・第１キープソレノイドバルブ、９・・第２キープソレノイドバルブ、１０・・制御基板、１４・・調理容器検出スイッチ、１５・・乾電池、１６・・解除スイッチ、１７・・解除確認ランプ。
【図１】
0005819246.tif 000002
【図２】
0005819246.tif 000003
【図３】
0005819246.tif 000004